(57)【要約】【課題】　みかけ上リアルタイムでの再生動作と記録動作の同時並行処理を可能とする。【解決手段】　第２の情報の記憶する第２の記憶手段の記憶動作は、第１の情報を出力する出力手段の出力動作と同期するように制御され、出力手段および第1の記憶手段により、情報の出力は行いつつ、再生手段の再生動作以外の間に記録手段を用いて記録を行い、読取手段は、出力手段の出力動作と記憶手段の記憶動作が行われているときに、記録媒体に記録された情報の読み取り動作を行う。【選択図】　　図１
2004047111.tif 000002
【特許請求の範囲】
【請求項１】
　記録媒体に対して情報の読み取りと記録を行う読取記録手段と、
　前記読取記録手段を用いて前記記憶媒体に記録されている第１の情報を再生する再生手段と、
　前記第１の情報を記憶する第１の記憶手段と、
　前記第１の記憶手段に記憶された前記第１の情報を連続的に出力する出力手段と、
　外部から連続的に入力され、前記第１の情報とは異なる第２の情報を記憶する第２の記憶手段と、
　前記第２の記憶手段に記憶された前記第２の情報を、前記読取記録手段を用いて前記記録媒体に記録を行う記録手段と、
　前記記録媒体における未記録領域を検知する未記録領域検知手段と、
　前記未記録領域検出手段が検知した未記録領域に対して前記記録手段により前記第２の情報の記録を行うよう制御する制御手段と、を有し、
　前記第２の情報の記憶する前記第２の記憶手段の記憶動作は、前記第１の情報を出力する前記出力手段の出力動作と同期するように制御されてなることを特徴とする記録再生装置。
【請求項２】
前記制御手段は、前記出力手段が前記第１の情報を出力しており、かつ前記再生手段の再生動作以外のときに、前記未記録領域に対して前記記録手段により前記第２の情報の記録を行うよう制御することを特徴とする請求項１に記載の記録再生装置。
【請求項３】
前記読取記録手段は単一の光ピックアップであることを特徴とする請求項１又は２に記載の記録再生装置。
【請求項４】
前記記録媒体は書き換え可能なディスクであることを特徴とする請求項１〜請求項３のいずれかに記載の記録再生装置。
【請求項５】
　記録媒体に対して情報の読み取りと記録を行う読取記録手段と、
　前記読取記録手段を用いて前記記憶媒体に記録されている第１の情報を再生する再生手段と、
　前記第１の情報を記憶する第１の記憶手段と、
　前記第１の記憶手段に記憶された前記第１の情報を出力する出力手段と、
　外部から入力され、前記第１の情報とは異なる第２の情報を記憶する第２の記憶手段と、
　前記第２の記憶手段に記憶された前記第２の情報を、前記読取記録手段を用いて前記記録媒体に記録を行う記録手段と、を有し、
　前記第１の情報が前記第１の記憶手段に記憶される速度は、前記出力手段が前記第１の記憶手段に記憶された前記第１の情報を出力する速度に比べ相対的に高速で動作し、
　前記第２の情報が前記第２の記憶手段に記憶される速度は、前記記録手段が前記読取記録手段を用いて、前記第２の記憶手段に記憶された前記第２の情報を前記記録媒体に記録する速度に比べ相対的に低速で動作することを特徴とする記録再生装置。
【請求項６】
前記記録媒体における未記録領域を検知する未記録領域検知手段と、
前記未記録領域検出手段が検知した未記録領域に対して前記記録手段により前記第２の情報の記録を行うよう制御する制御手段と、をさらに含むことを特徴とする請求項５に記載の記録再生装置。
【請求項７】
前記制御手段は、前記出力手段が前記第１の情報を出力しており、かつ前記再生手段の再生動作以外のときに、前記未記録領域に対して前記記録手段により前記第２の情報の記録を行うよう制御することを特徴とする請求項６に記載の記録再生装置。
【請求項８】
記録媒体に対して情報の読み取りと記録を行う記録再生方法であって、
　前記記録媒体に記録されている第１の情報を再生する再生工程と、
　前記第１の情報を記憶手段に記憶する第１の記憶工程と、
　前記記憶手段に記憶された前記第１の情報を連続的に出力する出力工程と、
　外部から連続的に入力される第２の情報を前記記憶手段とは異なる第２の記憶手段に記憶する第２の記憶工程と、
　前記第２の記憶手段に記憶された前記第２の情報を前記記録媒体に記録を行う記録工程と、
　前記記録媒体における未記録領域を検知する未記録領域検知工程と、
　前記第１の情報を出力しており、かつ前記再生工程による再生動作以外のときに、前記未記録領域検知工程で検知した未記録領域に対して前記第２の情報の記録を行うよう制御する制御工程と、を有し、
　前記第２の記憶工程における前記第２の情報の記憶動作は、前記出力工程における前記第１の情報を出力する出力動作と同期されることを特徴とする記録再生方法。　
【請求項９】
　前記記録媒体における未記録領域を検知する未記録領域検知工程と、
　前記第１の情報を出力しており、かつ前記再生工程による再生動作以外のときに、前記未記録領域検知工程で検知した未記録領域に対して前記第２の情報の記録を行うよう制御する制御工程と、をさらに含むことを特徴とする請求項８に記載の記録再生方法。
【請求項１０】
記録媒体に対して情報の読み取りと記録を行う記録再生方法であって、
　前記記録媒体に記録されている第１の情報を再生する再生工程と、
　前記第１の情報を第１の記憶手段に記憶する第１の記憶工程と、
　前記記憶手段に記憶された前記第１の情報を出力する出力工程と、
　外部から入力される第２の情報を前記第１の記憶手段とは異なる第２の記憶手段に記憶する第２の記憶工程と、
　前記第２の記憶手段に記憶された前記第２の情報を前記記録媒体に記録を行う記録工程と、を有し、
　前記第１の記憶工程における前記第１の情報が前記第１の記憶手段に記憶される速度は、前記出力工程における前記第１の記憶手段に記憶された前記第１の情報を出力する速度に比べ相対的に高速で動作し、
　前記第２の記憶工程における前記第２の情報が前記第２の記憶手段に記憶される速度は、前記記録工程における前記第２の記憶手段に記憶された前記第２の情報を前記記録媒体に記録する速度に比べ相対的に低速で動作することを特徴とする記録再生方法。
【発明の詳細な説明】
【技術分野】
【０００１】
　本発明は、ＭＤ（ミニディスク）等の記録媒体の記録再生装置および記録再生方法に関する。
【背景技術】
【０００２】
音楽や音声等の音楽情報を２種類以上組合せて一つの音楽情報に加工する場合、ミキシングという手法がとられる。一般に、ミキシングを行う場合にはミキサーという専用の装置が用いられる。例えば、ＣＤ（コンパクトディスク）やＶＤ（ビデオディスク）等からステレオ音楽情報を再生し、そのＲチャンネル、Ｌチャンネルの音楽情報を合成してモノーラルの音にするのもミキシングの一種であるし、ＣＤ等から再生した音に他の音を混入するのもミキシングである。いずれの場合であっても、ディスク状記憶媒体を用いてミキシングを行うためには装置構成の大小に拘らず、必ずミキサーが必要であった。
【０００３】
一方、ある音楽情報に合せて他の音楽情報を同一記録媒体に記録する方法が、アフレコ（アフターレコーディング）という俗称で知られている。このアフレコも広い意味ではミキシングの一種であり、２つ以上の音楽情報を混合する操作は上記ミキシングと同様である。このアフレコを行う場合もミキサーを必要とする。
【発明の開示】
【発明が解決しようとする課題】
【０００４】
上述したミキシングもアフレコも記録媒体上の情報を一旦再生し、その再生信号をミキシング処理したのち、ミキシングされた情報を別に用意した記録媒体に再記録するという方法がとられる。それは、記録媒体からの情報の読取りから再生されるまでにタイムラグがあり、また、記録・再生のためのピックアップやヘッドの構造上位置と同じ位置に記録することは不可能だからである。
【０００５】
このように、従来では再生中の記録媒体にリアルタイムで他の音楽情報を再生音楽情報に合せて記録することは不可能であった。したがって、本発明は、記録媒体に対し、再生を行いながら、他の情報をみかけ上リアルタイムで記録することが可能な記録再生装置および記録再生方法を提供することを目的とする。
【課題を解決するための手段】
【０００６】
上記課題を解決するために、本発明の記録再生装置は、記録媒体に対して情報の読み取りと記録を行う読取記録手段と、前記読取記録手段を用いて前記記憶媒体に記録されている第１の情報を再生する再生手段と、前記第１の情報を記憶する第１の記憶手段と、前記第１の記憶手段に記憶された前記第１の情報を連続的に出力する出力手段と、外部から連続的に入力され、前記第１の情報とは異なる第２の情報を記憶する第２の記憶手段と、前記第２の記憶手段に記憶された前記第２の情報を、前記読取記録手段を用いて前記記録媒体に記録を行う記録手段と、前記記録媒体における未記録領域を検知する未記録領域検知手段と、前記未記録領域検出手段が検知した未記録領域に対して前記記録手段により前記第２の情報の記録を行うよう制御する制御手段と、を有し、前記第２の情報の記憶する前記第２の記憶手段の記憶動作は、前記第１の情報を出力する前記出力手段の出力動作と同期するように制御されてなることを特徴とする。なお、前記制御手段は、前記出力手段が前記第１の情報を出力しており、かつ前記再生手段の再生動作以外のときに、前記未記録領域に対して前記記録手段により前記第２の情報の記録を行うよう制御することが好ましい。また、前記読取記録手段は単一の光ピックアップであることが好ましい。また、前記記録媒体は書き換え可能なディスクであることが好ましい。
また、本発明の記録再生装置は、記録媒体に対して情報の読み取りと記録を行う読取記録手段と、前記読取記録手段を用いて前記記憶媒体に記録されている第１の情報を再生する再生手段と、前記第１の情報を記憶する第１の記憶手段と、前記第１の記憶手段に記憶された前記第１の情報を出力する出力手段と、外部から入力され、前記第１の情報とは異なる第２の情報を記憶する第２の記憶手段と、前記第２の記憶手段に記憶された前記第２の情報を、前記読取記録手段を用いて前記記録媒体に記録を行う記録手段と、を有し、前記第１の情報が前記第１の記憶手段に記憶される速度は、前記出力手段が前記第１の記憶手段に記憶された前記第１の情報を出力する速度に比べ相対的に高速で動作し、前記第２の情報が前記第２の記憶手段に記憶される速度は、前記記録手段が前記読取記録手段を用いて、前記第２の記憶手段に記憶された前記第２の情報を前記記録媒体に記録する速度に比べ相対的に低速で動作することを特徴とする。なお、前記記録媒体における未記録領域を検知する未記録領域検知手段と、前記未記録領域検出手段が検知した未記録領域に対して前記記録手段により前記第２の情報の記録を行うよう制御する制御手段と、をさらに含むことが好ましい。また、前記制御手段は、前記出力手段が前記第１の情報を出力しており、かつ前記再生手段の再生動作以外のときに、前記未記録領域に対して前記記録手段により前記第２の情報の記録を行うよう制御することが好ましい。
また、本発明の記録再生方法は、記録媒体に対して情報の読み取りと記録を行う記録再生方法であって、前記記録媒体に記録されている第１の情報を再生する再生工程と、前記第１の情報を記憶手段に記憶する第１の記憶工程と、前記記憶手段に記憶された前記第１の情報を連続的に出力する出力工程と、外部から連続的に入力される第２の情報を前記記憶手段とは異なる第２の記憶手段に記憶する第２の記憶工程と、前記第２の記憶手段に記憶された前記第２の情報を前記記録媒体に記録を行う記録工程と、前記記録媒体における未記録領域を検知する未記録領域検知工程と、前記第１の情報を出力しており、かつ前記再生工程による再生動作以外のときに、前記未記録領域検知工程で検知した未記録領域に対して前記第２の情報の記録を行うよう制御する制御工程と、を有し、前記第２の記憶工程における前記第２の情報の記憶動作は、前記出力工程における前記第１の情報を出力する出力動作と同期されることを特徴とする。
また、本発明の記録再生方法は、記録媒体に対して情報の読み取りと記録を行う記録再生方法であって、前記記録媒体に記録されている第１の情報を再生する再生工程と、前記第１の情報を第１の記憶手段に記憶する第１の記憶工程と、前記記憶手段に記憶された前記第１の情報を出力する出力工程と、外部から入力される第２の情報を前記第１の記憶手段とは異なる第２の記憶手段に記憶する第２の記憶工程と、前記第２の記憶手段に記憶された前記第２の情報を前記記録媒体に記録を行う記録工程と、を有し、前記第１の記憶工程における前記第１の情報が前記第１の記憶手段に記憶される速度は、前記出力工程における前記第１の記憶手段に記憶された前記第１の情報を出力する速度に比べ相対的に高速で動作し、前記第２の記憶工程における前記第２の情報が前記第２の記憶手段に記憶される速度は、前記記録工程における前記第２の記憶手段に記憶された前記第２の情報を前記記録媒体に記録する速度に比べ相対的に低速で動作することを特徴とする。
本発明によれば、出力手段および第１の記憶手段により、情報の出力は行いつつ、再生手段の再生動作以外の間に、記録手段を用いて記録を行うことにより、みかけ上リアルタイムでの再生動作と記録動作の同時並行処理が可能となる。
【０００７】
また、記録手段により情報が記録される領域が、再生手段が情報を読み出した領域と異なる領域に記録することにより、記録後、再生された記録情報および非記録情報を単独に再生することも可能である。そのため、再生された情報も再度再生が可能であり、ユーザーにとって利便性が高い。
【発明を実施するための最良の形態】
【０００８】
次に本発明の好適な実施例を図面に基づいて説明する。
［Ｉ］書込み可能な光磁気ディスクの記録再生装置
図１に本発明が適用されるＭＤ等の光磁気ディスク１の記録再生装置の例を示す。この記録再生装置は、大別して、光磁気ディスク１から情報を再生する再生系、光磁気ディスク１に情報を記録する記録系、光磁気ディスク１の回転の駆動を行う回転系、上記再生系、記録系および回転系を統括的にコントロールする制御系を有している。
【０００９】
光磁気ディスク１は、磁性膜を有し、磁気Ｋｅｒｒ効果によるレーザビームの偏光面の回転を利用してディジタル形式信号を記録する。ディジタル信号記録媒体であり、ＭＤとして知られている。この光磁気ディスク１は一部記録済のディスクであり、後述する図２に示すように、既に情報（例えばカラオケ伴奏曲情報）が記録された記録済領域と、未だ何も記録されておらず後述する方法によって情報（例えば、前記カラオケ伴奏曲に合せて歌われる歌声情報）が記録される未記録領域とが異なる領域位置に配置されている。
【００１０】
再生系において、光ピックアップ３はキャリッジモータやアクチュエータ（図示せず）によってその読取位置に移動され、レーザビームを光磁気ディスク１に照射し、その戻りビームを光電変換してＲＦ信号を再生部５に出力する。再生部５はＲＦ信号を増幅するＲＦアンプ、ＲＦ信号に含まれるＡＴＩＰ（Absolute Time In Pregroove）データをデコードするＡＴＩＰデコーダを有し、ＲＦ信号をＥＦＭデコーダ６に出力するとともにＡＴＩＰデータ等のコントロール用データをシステムコントローラ１７に出力する。ＥＦＭデコーダ６は光磁気ディスク１に記録されている情報がＥＦＭ（Eight to Fourteen Modulation）変調されているので、それを復調するためのものであり、復調信号を切換スイッチ７を介して再生用メモリ８に送る。切換スイッチ７は後述する記録再生動作のための切替えを行うものである。再生用メモリ８は書込み速度が読出し速度に比べて相対的に高速に動作するＤＲＡＭ（Dynamic Random AccessMemory）であり、例えば、１Ｍｂｉｔ程度の記憶容量を有するデュアルポートＤＲＡＭが用いられる。再生用メモリ８の読出し情報は圧縮デコーダ９に送られる。圧縮デコーダ９は光磁気ディスク１内に記録されている情報が人間の最小可聴限界およびマスキング効果を考慮して圧縮処理（例えば、ＣＤの場合の１／５程度）されているので、それを５倍に伸張するためのデコーダである。伸張されたディジタルデータはＤ／Ａコンバータ１０によりアナログ信号に変換される。このアナログ信号は出力端子ＯＵＴを介してパワーアンプ、スピーカに供給され、音響信号として人間の耳に到達する。
【００１１】
記録系において、入力端子ＩＮにはマイクロフォン等からのアナログ信号が外部入力され、Ａ／Ｄコンバータ１１に入力される。Ａ／Ｄコンバータ１１は入力アナログ信号をＡ／Ｄ変換し、圧縮エンコーダ１２に送る。圧縮エンコーダ１２は上述した圧縮デコーダ９と逆の動作を行うもので、入力データを例えば、ＣＤのデータの約１／５に圧縮して記録用メモリ１３に送る。記録用メモリ１３は、書込み速度が読出速度に比べて相対的に低速（再生用メモリ８と逆）で動作をするＤＲＡＭであり、やはり１Ｍｂｉｔ程度デュアルポートＤＲＡＭが用いられる。記録用メモリ１３からの読出情報は切換スイッチ１４を介してＥＦＭエンコーダ１５に与えられる。ＥＦＭエンコーダ１５は入力データをＥＦＭ変調し、記録部１６に送る。記録部１６はＡＴＩＰエンコーダ、光ピックアップ３のレーザダイオードのドライブ回路、磁気ヘッド４のドライブ回路等を有し、入力される記録信号に応じて光ピックアップ３、磁気ヘッド４を駆動する。
【００１２】
回転系は光磁気ディスク１を必要な回転数で回転駆動するためのスピンドルモータ２を有している。スピンドルモータ２の回転軸は図示しないターンテーブルに連結され、このターンテーブルに挟持されて光磁気ディスク１が回転する。
【００１３】
制御系は、システムコントローラ１７およびサーボ回路２０を有している。システムコントローラ１７は入力装置１８から与えられる操作指令に応じた動作モードで当該記録再生装置の各部の動作を統括的にコントロールするもので、マイクロコンピュータ（μＣＯＭ）が使用される。また、必要な表示情報はシステムコントローラ１７から表示装置１９を通じて表示される。システムコントローラ１７は、内蔵するプログラムメモリ（ＲＯＭ：Ｒｅａｄ　Ｏｎｌｙ　Ｍｅｍｏｒｙ等）に格納されたプログラムシーケンスに従って、Ｐ1 〜Ｐ4 、Ｒ1 〜Ｒ4 等の各種コントロールデータを各要素に必要なタイミングで与え、また、サーボ回路２０に対してもサーボコントロール信号ＳＣを与える。サーボ回路２０は入力されたサーボコントロール信号ＳＣにより、スピンドルサーボ信号ＳＳ、フォーカスサーボ信号ＦＳ、トラッキングサーボ信号ＴＳ、磁気ヘッドサーボ信号ＨＳをそれぞれ出力する。これらのサーボコントロール信号ＳＣ、スピンドルサーボ信号ＳＳ、フォーカスサーボ信号ＦＳ、トラッキングサーボ信号ＴＳ、磁気ヘッドサーボ信号ＨＳにより、光磁気ディスク１における光ピックアップ３の記録再生位置が適正にコントロールされる。
【００１４】
［II］記録再生方法（動作）
　次に、上記記録再生装置の構成において、本発明に係る記録再生方法を説明する。
【００１５】
本発明における記録再生動作は、みかけ上（外部から観察した場合）リアルタイムで記録と再生が同一の記憶媒体に対して同時に行われるもので、大別して、第１再生動作ＰＬＹ１、第２再生動作ＰＬＹ２、第１記録動作ＲＥＣ１、第２記録動作ＲＥＣ２に分類される。
【００１６】
第１再生動作ＰＬＹ１は、光ピックアップ３により光磁気ディスク１の記録済領域ＲＤから情報を高速で読取り、その読取った情報を再生部５、ＥＦＭデコーダ６、切換スイッチ７を介して再生用メモリ８に高速で書込む動作である。
【００１７】
第２再生動作ＰＬＹ２は、再生用メモリ８に格納された情報を低速で読出し、その読出した情報を圧縮デコーダ９、Ｄ／Ａコンバータ１０を介して出力端子ＯＵＴから出力する動作である。
【００１８】
第１記録動作ＲＥＣ１は、入力端子ＩＮから入力された入力情報をＡ／Ｄコンバータ１１、圧縮エンコーダ１２を介して記録用メモリ１３に低速で書込む動作である。
【００１９】
第２記録動作ＲＥＣ２は、記録用メモリ１３に格納された情報を高速で読出し、その読出した情報を切換スイッチ１４、ＥＦＭエンコーダ１５、記録部１６を介して磁気ヘッド４、光ピックアップ３により光磁気ディスク１の未記録領域ＮＲＤに記録する動作である。
【００２０】
図２に、本発明による記録用再生動作のシーケンスを示す。このシーケンスはシステムコントローラ１７内のＲＯＭに格納されたプログラムによって実行される。
【００２１】
なお、この例において、光磁気ディスク１は一部記録済のディスクであるため、記録済領域ＲＤについてのＴＯＣ（Table of Contents）データは光磁気ディスク１のリードインにあるＴＯＣ領域に書込まれているが、未記録領域ＮＲＤについてのＴＯＣは何ら書込まれておらず、当該光磁気ディスク１はファイナライズされていないディスクである。ファイナライズは、未記録領域ＮＲＤへの記録が完了された時点で行われ、以後、その光磁気ディスク１はオーバライト（重ね書き）が防止される。オーバライト禁止の手段としては、例えばＴＯＣデータ内に禁止フラグを書込む等の方法が可能である。
【００２２】
以下、光磁気ディスク１の記録済領域ＲＤからカラオケ伴奏曲データを、例えば再生用メモリ８の記憶容量（１Ｍｂｉｔ）分ずつの区切りでＡ、Ｂ、Ｃ、Ｄ、・・、Ｎというように再生し、このとき、このカラオケ伴奏曲に合せて歌われた歌声を同じ区切りでａ、ｂ、ｃ、ｄ、・・、ｎというように入力されてくる場合を例にして動作を説明する。
【００２３】
図２（ａ）に示すように、まず、光ピックアップ３はシステムコントローラ１７のコントロール下で再生情報Ａの記録位置をサーチする。次いで、再生情報Ａの読取りを行ない、再生部５、ＥＦＭデコーダ６、切換スイッチ７（このとき切換スイッチ７はclose 、切換スイッチ１４はopen）を介して再生情報Ａを再生用メモリ８に書込む（第１再生動作ＰＬＹ１）。
【００２４】
次に、再生用メモリ８から再生情報Ａが読出され、圧縮デコーダ９、Ｄ／Ａコンバータ１０を介して出力端子ＯＵＴより再生出力される（第２再生動作ＰＬＹ２）。
【００２５】
第２再生動作ＰＬＹ２によって再生情報Ａに対応するカラオケ伴奏が始まると、歌い手は、この伴奏に合せて歌う。その歌声はマイクロフォンで電気信号に変換され、入力端子ＩＮより入力される。そして、入力された信号はＡ／Ｄコンバータ１１、圧縮エンコーダ１２を介して記録用メモリ１３に書込まれる（第１記録動作ＲＥＣ１）。この第１記録動作ＲＥＣ１の時間は第２再生動作ＰＬＹ２と同期し、かつ同じ時間的長さである。
【００２６】
一方、この第２再生動作ＰＬＹ２または第１記録動作ＲＥＣ１の期間中、光ピックアップ３は自由であり、次に再生すべき再生情報Ｂの記録位置をサーチする。つづいて光ピックアップ３は再生情報Ｂの読取りを行ない、第１再生動作ＰＬＹ１を実行する。再生情報Ｂの読取終了後、再生情報Ｂについての第２再生動作ＰＬＹ２が実行され、同時に記録情報ｂの第１記録動作ＲＥＣ１が実行される。この再生情報Ｂについて第２再生動作ＰＬＹ２（または記録情報ｂについての第１記録動作ＲＥＣ１）の期間に、光ピックアップ３は記録情報ａを記録すべき光磁気ディスク１の未記録領域ＮＲＤの記録位置のサーチを行ない、検出されたら記録用メモリ１３から記録情報ａを読出し、切換スイッチ１４（このときclose）、ＥＦＭエンコーダ１５、記録部１６、光ピックアップ３、磁気ヘッド４を介して光磁気ディスク１の未記録領域ＮＲＤ内に記録する。
【００２７】
次に、光ピックアップ３は次に再生すべきＣの位置を光磁気ディスク１の記録済領域ＲＤでサーチし、検出したら再生情報Ｃを読取り、再生用メモリ８に書込む（第１再生動作ＰＬＹ１）。
【００２８】
このようにして、再生情報Ａについて第１再生動作ＰＬＹ１、次の再生情報Ａについての第２再生動作ＰＬＹ２の期間で再生情報Ａの第２再生動作ＰＬＹ２および記録情報ａの第１記録動作ＲＥＣ１を実行するとともに、再生情報Ｂの第１再生動作ＰＬＹ１を行ない、次の再生情報Ｂの第２再生動作ＰＬＹ２の期間で再生情報Ｂの第２再生動作ＰＬＹ２および記録情報ｂの第１記録動作ＲＥＣ１を実行するとともに、記録情報ａの第２記録動作ＲＥＣ２および再生情報Ｃの第１再生動作ＰＬＹ１を行う。次に、再生情報Ｃの第２再生動作ＰＬＹ２の期間で記録情報ｃの第１記録動作ＲＥＣ１を行う一方、記録情報ｂの第２記録動作ＲＥＣ２および再生情報Ｄの第１再生動作ＰＬＹ１・・というシーケンスで記録再生動作が行われる。
【００２９】
図３は上述の動作時における光ピックアップ３の動きを示したものである。図３からわかるように、光ピックアップ３は、記録済領域ＲＤでの読取り（第１再生動作ＰＬＹ１）、サーチ、未記録領域ＮＲＤでの記録（第１記録動作ＲＥＣ１）という組合せパターンで光磁気ディスク１の径方向に往復動する。
【００３０】
以上の記録再生動作により、記録済領域ＲＤ内のカラオケ伴奏曲に合せた歌声の未記録領域ＮＲＤへの記録が終了した時点で、記録情報ａの先頭アドレスデータを当該光磁気ディスク１がアフレコディスクであることを示す情報とともにＴＯＣ領域に記録し、ファイナライズする。
【００３１】
次に、このアフレコディスクを再生する場合は、図示しないが、Ａ、Ｂ、Ｃ、Ｄ、・・、Ｎのデータ用のＲＡＭ１とａ、ｂ、ｃ、ｄ、・・、ｎのデータ用のＲＡＭ２を設け（図示せず）、このＲＡＭ１とＲＡＭ２を交互に動作可能とし、かつ両ＲＡＭ１とＲＡＭ２の出力データを加算する加算器を接続する構成とする。再生に際しては、まずＴＯＣデータを読取り、圧縮デコーダ９の先頭アドレスを読取っておき、再生情報ＡをＲＡＭ１に記憶し、次いで圧縮デコーダ９をサーチして記録情報ａをＲＡＭ２に記憶し、両データ再生情報Ａ、圧縮デコーダ９がそろった時点で再生情報Ａおよび圧縮デコーダ９を加算器に与えて再生情報Ａ＋記録情報ａのデータを生成して出力する。その結果、再生情報Ａ＋記録情報ａのデータが再生される。この再生情報Ａ＋記録情報ａのデータの圧縮デコーダ９による伸張時間を利用して、次の再生情報ＢをＲＡＭ１に書込み、かつ圧縮デコーダ９の終端アドレス（すなわち記録情報ｂの先頭アドレス）により記録情報ｂをサーチしてＲＡＭ２に書込み、加算器を介して再生情報Ｂ＋記録情報ｂのデータを生成し再生出力のする・・という処理を全データ終了まで繰返せばよい。
【００３２】
　以上の通り、本発明によれば、記録媒体から情報の再生中にみかけ上同時に他の情報を記録することができる。また、記録後、再生された記録情報および非記録情報を単独に再生することも可能である。
【図面の簡単な説明】
【００３３】
【図１】本発明が適用される光磁気ディスクの記録再生装置のブロック図である。
【図２】本発明の記録再生動作のシーケンスを示すタイムチャートである。
【図３】光ピックアップ３の動作説明図である。
【符号の説明】
【００３４】
１・・・光ディスク　　　２・・・スピンドルモータ　　　３・・・光ピックアップ
４・・・磁気ヘッド　　　５・・・再生部　　　６・・・ＥＦＭデコーダ
７・・・切換スイッチ　　　８・・・再生用メモリ　　　９・・・圧縮デコーダ
１０・・・Ｄ／Ａコンバータ　　　１１・・・Ａ／Ｄコンバータ
１２・・・圧縮エンコーダ　　　１３・・・記録用メモリ　　　１４・・・切換スイッチ
１５・・・ＥＦＭエンコーダ　　　１６・・・記録部
１７・・・システムコントローラ　　　１８・・・入力装置　　　１９・・・表示装置
２０・・・サーボ回路　　　　　Ａ、Ｂ、Ｃ、Ｄ、・・、Ｎ・・・再生情報
ａ、ｂ、ｃ、ｄ、・・、ｎ・・・記録情報　　
Ｐ１・・・再生ＲＦ信号および再生コントロール信号
Ｐ２・・・コントロール信号　　　Ｐ３・・・切換コントロール信号
Ｐ４・・・メモリコントロール信号　　　Ｒ１・・・記録コントロール信号
Ｒ２・・・コントロール信号　　　Ｒ３・・・切換コントロール信号
Ｒ４・・・メモリコントロール信号　　　ＩＮ・・・入力端子　　ＯＵＴ・・・出力端子
ＳＳ・・・スピンドルサーボ信号　　　ＦＳ・・・フォーカスサーボ信号
ＴＳ・・・トラッキングサーボ信号　　　ＨＳ・・・磁気ヘッドサーボ信号
ＲＥＣ１・・・第1記録動作　　　ＲＥＣ２・・・第２記録動作
ＰＬＹ１・・・第１再生動作　　　ＰＬＹ２・・・第２再生動作
ＲＤ・・・記録済領域　　　ＮＲＤ・・・未記録領域
【図１】
2004047111.tif 000003
【図２】
2004047111.tif 000004
【図３】
2004047111.tif 000005
【手続補正書】
【提出日】平成15年11月28日(2003.11.28)
【手続補正１】
【補正対象書類名】特許請求の範囲
【補正対象項目名】全文
【補正方法】変更
【補正の内容】
【特許請求の範囲】
【請求項１】
書込み可能な記憶媒体に記録されている第１の情報の読出しを行う再生手段と、
　前記第１の情報を第１の速度で記憶する第１の記憶手段と、
　前記第１の記憶手段に記憶された前記第１の情報を、前記第１の速度に対して相対的に低速で出力する出力手段と、
　外部から入力される第２の情報のみを、第２の速度で記憶する第２の記憶手段と、
　前記再生手段が前記記録媒体から前記第１の情報の読出しを行う時間以外の時間に、前記第２の記憶手段に記憶された前記第２の情報を、前記記録媒体に前記第２の速度に対して相対的に高速で記録する記録手段と、
　を具備することを特徴とする記録再生装置。
【請求項２】
前記記録媒体における未記録領域を検知する未記録領域検知手段と、
前記未記録領域検出手段が検知した未記録領域に対し、前記記録手段により前記第２の情報の記録を行うように制御する制御手段と、をさらに含み、
前記制御手段は、前記出力手段が前記第１の情報を出力しており、かつ前記再生手段が前記第１の情報の読出しを行う時間以外の時間に、前記未記録領域に対して前記記録手段により前記第２の情報の記録を行うように制御することを特徴とする請求項１に記載の記録再生装置。
【請求項３】
書込み可能な記録媒体に記録された情報を読出し、読出した前記情報を第１の速度で再生用メモリに書込む第１再生動作と、
　前記再生用メモリから前記書込まれた情報を、前記第１の速度に対して相対的に低速で読出して再生出力する第２再生動作と、
　外部から入力される情報のみを記録用メモリに第２の速度で書込む第１記録動作と、
　前記記録用メモリに書込まれた前記外部からの情報を、前記第２の速度に対して相対的に高速で読出し、読出した前記外部からの情報を前記記録媒体から前記第１の情報の読出しを行う時間以外の時間に、前記記録媒体に記録する第２記録動作と、
　を具備することを特徴とする情報記録再生方法。
【手続補正２】
【補正対象書類名】明細書
【補正対象項目名】０００６
【補正方法】変更
【補正の内容】
【０００６】
　本発明の情報記録再生装置は、書込み可能な記憶媒体に記録されている第１の情報の読出しを行う再生手段と、前記第１の情報を第１の速度で記憶する第１の記憶手段と、前記第１の記憶手段に記憶された前記第１の情報を、前記第１の速度に対して相対的に低速で出力する出力手段と、外部から入力される第２の情報のみを、第２の速度で記憶する第２の記憶手段と、前記再生手段が前記記録媒体から前記第１の情報の読出しを行う時間以外の時間に、前記第２の記憶手段に記憶された前記第２の情報を、前記記録媒体に前記第２の速度に対して相対的に高速で記録する記録手段と、を具備することを特徴とする。なお、前記記録媒体における未記録領域を検知する未記録領域検知手段と、前記未記録領域検出手段が検知した未記録領域に対し、前記記録手段により前記第２の情報の記録を行うように制御する制御手段と、をさらに含み、前記制御手段は、前記出力手段が前記第１の情報を出力しており、かつ前記再生手段が前記第１の情報の読出しを行う時間以外の時間に、前記未記録領域に対して前記記録手段により前記第２の情報の記録を行うように制御することが好ましい。また、前記読取記録手段は単一の光ピックアップであることが好ましい。また、前記第２の情報の記録が行われた場合、前記記録媒体にアフターレコーディングが行われたことを示す情報を記録することが好ましい。また、前記記録媒体は書き換え可能なディスクであることが好ましい。また、前記第１の情報および前記第２の情報が音楽情報であることが好ましい。
　また、本発明の情報記録再生方法は、書込み可能な記録媒体に記録された情報を読出し、読出した前記情報を第１の速度で再生用メモリに書込む第１再生動作と、前記再生用メモリから前記書込まれた情報を、前記第１の速度に対して相対的に低速で読出して再生出力する第２再生動作と、外部から入力される情報のみを記録用メモリに第２の速度で書込む第１記録動作と、前記記録用メモリに書込まれた前記外部からの情報を、前記第２の速度に対して相対的に高速で読出し、読出した前記外部からの情報を前記記録媒体から前記第１の情報の読出しを行う時間以外の時間に、前記記録媒体に記録する第２記録動作と、を具備することを特徴とする。なお、前記読取記録手段は単一の光ピックアップであることが好ましい。また、前記第２の情報の記録が行われた場合、前記記録媒体にアフターレコーディングが行われたことを示す情報を記録する工程を有することが好ましい。また、前記記録媒体は書き換え可能なディスクであることが好ましい。また、前記第１の情報および前記第２の情報が音楽情報であることが好ましい。